(57)【要約】  【課題】  複数の送信手段を有する場合の画像データの読取ジョブ及び送信ジョブを効率的に行うことができる画像読取装置を提供する。  【解決手段】  本体通信Ｉ／Ｆ１８又はオプション側通信Ｉ／Ｆ３８の一方から送信する第１画像データの読取を開始する場合、第１画像データを記憶する第１記憶領域とは別に、少なくとも原稿１枚分の画像データを記憶することが可能な第２記憶領域を何れかの画像メモリ２２，４２に確保し、第１画像データの読取終了後に、本体通信Ｉ／Ｆ１８又はオプション側通信Ｉ／Ｆ３８の他方から送信する第２画像データの読取を行う場合、第２画像データを第２記憶領域に記憶する。【選択図】      図１  
2005347968.tif 000002
【特許請求の範囲】
【請求項１】
原稿台に載置された原稿を読取る載置原稿読取及び自動原稿供給機構により供給される原稿を読取る自動供給原稿読取を行うことが可能であり、少なくとも原稿１枚分の画像データを記憶する画像メモリと、画像データを外部へ送信する送信手段と、原稿の読取、画像データの記憶及び送信を制御する制御手段とを備えており、少なくとも原稿１枚分の画像データを記憶する画像メモリ及び画像データを外部へ送信する送信手段を有し、前記制御手段で画像データの記憶及び送信が制御されるオプション装置が接続される画像読取装置において、
前記制御手段は、何れか一方の送信手段から送信する第１画像データの読取を開始する場合、第１画像データを記憶する第１記憶領域とは別に、少なくとも原稿１枚分の画像データを記憶することが可能な第２記憶領域を何れかの画像メモリに確保し、第１画像データの読取終了後に他方の送信手段から送信する第２画像データの読取を行って第２記憶領域に記憶することを許可するように構成してあることを特徴とする画像読取装置。
【請求項２】
前記制御手段は、何れか一方の送信手段から送信する第１画像データの読取を開始する場合、第２記憶領域として何れかの画像メモリの全記憶領域を確保するように構成してあることを特徴とする請求項１記載の画像読取装置。
【請求項３】
自動供給原稿読取により第１画像データの読取を開始する場合に前記制御手段が確保する第２記憶領域は、載置原稿読取により第１画像データの読取を開始する場合よりも小さいことを特徴とする請求項１記載の画像読取装置。
【請求項４】
前記制御手段は、載置原稿読取を行って何れか一方の送信手段から送信する第１画像データを何れか一方の画像メモリに記憶する場合、前記載置原稿読取の終了後、自動供給原稿読取を行って他方の送信手段から送信する第２画像データを他方の画像メモリに記憶することを許可するように構成してあることを特徴とする請求項２記載の画像読取装置。
【請求項５】
前記制御手段は、自動供給原稿読取を行って何れか一方の送信手段から送信する第１画像データを何れか一方の画像メモリに記憶する場合、前記自動供給原稿読取の終了後、載置原稿読取を行って他方の送信手段から送信する第２画像データを他方の画像メモリに記憶することを許可するように構成してあることを特徴とする請求項２記載の画像読取装置。
【請求項６】
原稿台上に原稿が載置されたことを検出する載置検出手段と、原稿に光を照射する光源と、前記制御手段の制御により前記光源を移動させる移動機構とを備えており、
前記制御手段は、前記載置検出手段が原稿の載置を検出した場合、前記光源を載置原稿読取の開始位置に移動させるように構成してあることを特徴とする請求項５記載の画像読取装置。
【請求項７】
前記制御手段は、自動供給原稿読取を行う際に、画像メモリの何れも使用されていない場合、両方の画像メモリを使用するように構成してあることを特徴とする請求項１記載の画像読取装置。
【発明の詳細な説明】
【技術分野】
【０００１】
本発明は、原稿台に載置された原稿を読取る載置原稿読取及び自動原稿供給機構により供給される原稿を読取る自動供給原稿読取を行うことが可能であり、画像データを記憶する画像メモリと、画像データを外部へ送信する送信手段とを備えており、画像メモリ及び送信手段を有するオプション装置が接続される画像読取装置に関する。
【背景技術】
【０００２】
近年、原稿台上に載置された原稿をスキャンして読取る載置原稿読取、又は、自動原稿供給機構により供給される原稿を所定位置で読取る自動供給原稿読取によって読取った画像データを、所望の画像形式に変換し、画像サイズ又は画像形式などの情報を付加（パッキング）して、ネットワーク等を経由してホストコンピュータへ送信するネットワークスキャナ機能を有する複合機等が用いられている。例えば、画像読取手段で読取った第１の画像データの転送中に、第２の画像データを読取可能か判断し、可能であるときに次の画像の読取を行うように前記画像読取手段を制御する画像形成装置が提案されている（特許文献１参照）。
【特許文献１】特開２０００−１１５５０１号公報
【発明の開示】
【発明が解決しようとする課題】
【０００３】
ネットワークスキャナ機能を使用する場合、読取られた画像データは、読取られてから送信が終了するまで画像メモリに記憶されている。そのため、一つのネットワークスキャナジョブを実行する場合、画像データを読取って画像メモリに記憶した後、ホストコンピュータへの画像データ送信が終了するまで、画像メモリをクリアすることができず、新たなネットワークスキャナジョブを受付けることはできないという問題がある。読取が済んだ画像データの送信が終了するまで次の画像読取を行うことができず、画像データのデータサイズによっては次の画像読取まで相当量の待ち時間が必要になるという問題がある。
【０００４】
また、ネットワークスキャナ機能を有する画像形成装置又は複合機の中には、複数の通信Ｉ／Ｆ（インターフェース）を備えるものもあるが、一つのネットワークスキャナジョブに画像メモリなどが占有されるため、読取が終了していても、一方の通信Ｉ／Ｆからホストコンピュータへのデータ送信が完了するまで、他方の通信Ｉ／Ｆを用いた画像データ送信は行えないという問題がある。複数のホストコンピュータに画像データを送信するネットワークスキャナジョブを効率的に行うことができないという問題がある。
【０００５】
本発明は斯かる事情に鑑みてなされたものであり、何れか一方の送信手段から送信する第１画像データの読取を開始する場合、第１画像データを記憶する第１記憶領域とは別に、少なくとも原稿１枚分の画像データを記憶することが可能な第２記憶領域を何れかの画像メモリに確保することにより、画像データの読取ジョブ及び送信ジョブを効率的に行うことができる画像読取装置を提供することを目的とする。
【０００６】
また、本発明は、前記第２記憶領域として何れかの画像メモリの全記憶領域を確保することにより、画像メモリの管理を容易に行うことができる画像読取装置を提供することを他の目的とする。
【０００７】
また、本発明は、自動供給原稿読取によって第１画像データの読取を開始する場合、載置原稿読取によって第１画像データの読取を開始する場合よりも第２記憶領域を小さくすることにより、自動供給原稿読取時の画像データの読取ジョブ及び送信ジョブを効率的に行うことができる画像読取装置を提供することを他の目的とする。
【０００８】
また、本発明は、載置原稿読取を行って何れか一方の送信手段から送信する第１画像データを何れか一方の画像メモリに記憶した場合、第１画像データの読取終了後、自動供給原稿読取を行って他方の送信手段から送信する第２画像データを他方の画像メモリに記憶することを許可することにより、画像データの読取ジョブ及び送信ジョブを効率的に行うことができる画像読取装置を提供することを他の目的とする。
【０００９】
また、本発明は、自動供給原稿読取を行って何れか一方の送信手段から送信する第１画像データを何れか一方の画像メモリに記憶した場合、自動供給原稿読取の終了後、載置原稿読取を行って他方の送信手段から送信する第２画像データを他方の画像メモリに記憶することを許可することにより、画像データの読取ジョブ及び送信ジョブを効率的に行うことができる画像読取装置を提供することを他の目的とする。
【００１０】
また、本発明は、原稿台への原稿の載置を検出した場合、原稿に光を照射する光源を載置原稿読取の開始位置に移動させることにより、載置原稿読取を早く開始することができる画像読取装置を提供することを他の目的とする。
【００１１】
また、本発明は、自動供給原稿読取を行う際に、両方の画像メモリが使用されていない場合、両方の画像メモリを使用することにより、自動供給原稿読取時の画像データの読取ジョブ及び送信ジョブを効率的に行うことができる画像読取装置を提供することを他の目的とする。
【課題を解決するための手段】
【００１２】
本発明に係る画像読取装置は、原稿台に載置された原稿を読取る載置原稿読取及び自動原稿供給機構により供給される原稿を読取る自動供給原稿読取を行うことが可能であり、少なくとも原稿１枚分の画像データを記憶する画像メモリと、画像データを外部へ送信する送信手段と、原稿の読取、画像データの記憶及び送信を制御する制御手段とを備えており、少なくとも原稿１枚分の画像データを記憶する画像メモリ及び画像データを外部へ送信する送信手段を有し、前記制御手段で画像データの記憶及び送信が制御されるオプション装置が接続される画像読取装置において、前記制御手段は、何れか一方の送信手段から送信する第１画像データの読取を開始する場合、第１画像データを記憶する第１記憶領域とは別に、少なくとも原稿１枚分の画像データを記憶することが可能な第２記憶領域を何れかの画像メモリに確保し、第１画像データの読取終了後に他方の送信手段から送信する第２画像データの読取を行って第２記憶領域に記憶することを許可するように構成してあることを特徴とする。
【００１３】
本発明に係る画像読取装置は、前記制御手段は、何れか一方の送信手段から送信する第１画像データの読取を開始する場合、第２記憶領域として何れかの画像メモリの全記憶領域を確保するように構成してあることを特徴とする。
【００１４】
本発明に係る画像読取装置は、自動供給原稿読取により第１画像データの読取を開始する場合に前記制御手段が確保する第２記憶領域は、載置原稿読取により第１画像データの読取を開始する場合よりも小さいことを特徴とする。
【００１５】
本発明に係る画像読取装置は、前記制御手段は、載置原稿読取を行って何れか一方の送信手段から送信する第１画像データを何れか一方の画像メモリに記憶する場合、前記載置原稿読取の終了後、自動供給原稿読取を行って他方の送信手段から送信する第２画像データを他方の画像メモリに記憶することを許可するように構成してあることを特徴とする。
【００１６】
本発明に係る画像読取装置は、前記制御手段は、自動供給原稿読取を行って何れか一方の送信手段から送信する第１画像データを何れか一方の画像メモリに記憶する場合、前記自動供給原稿読取の終了後、載置原稿読取を行って他方の送信手段から送信する第２画像データを他方の画像メモリに記憶することを許可するように構成してあることを特徴とする。
【００１７】
本発明に係る画像読取装置は、原稿台上に原稿が載置されたことを検出する載置検出手段と、原稿に光を照射する光源と、前記制御手段の制御により前記光源を移動させる移動機構とを備えており、前記制御手段は、前記載置検出手段が原稿の載置を検出した場合、前記光源を載置原稿読取の開始位置に移動させるように構成してあることを特徴とする。
【００１８】
本発明に係る画像読取装置は、前記制御手段は、自動供給原稿読取を行う際に、画像メモリの何れも使用されていない場合、両方の画像メモリを使用するように構成してあることを特徴とする。
【００１９】
本発明においては、何れか一方の送信手段から送信する第１画像データの読取を開始する場合、第１画像データを記憶する第１記憶領域とは別に、少なくとも原稿１枚分の画像データを記憶することが可能な第２記憶領域を何れかの画像メモリに確保する。第１画像データの読取終了後に他方の送信手段から送信する第２画像データの読取を開始する場合、第２画像データを第２記憶領域に記憶する。第２記憶領域が確保されているため、第１記憶領域に記憶された第１画像データの送信中に、第２画像データの読取を行ったり、第２記憶領域に記憶されている第２画像データの送信を行うことが可能になる。例えば、本体側の画像メモリに記憶された画像データを本体側の送信手段から送信中に、画像読取を行ってオプション側の画像メモリに記憶及びオプション側の送信手段から送信したり、オプション側の画像メモリに記憶された画像データを本体側の送信手段から送信中に、画像読取を行って本体側の画像メモリに記憶及びオプション装置側の送信手段から送信することなどが可能である。
【００２０】
本発明においては、何れか一方の送信手段から送信する第１画像データの読取を開始する場合、前記第２記憶領域として何れかの画像メモリの全記憶領域を確保する。一方の画像メモリに第１画像が記憶され、他方の画像メモリに第２画像データが記憶されるため、第１画像データを記憶する第１記憶領域及び第２画像データを記憶する第２記憶領域の割当など、画像メモリの管理を容易に行うことができる。
【００２１】
本発明においては、前記第２記憶領域は、載置原稿読取により第１画像データの読取を開始する場合よりも自動供給原稿読取により第１画像データの読取を開始する場合の方が小さい。載置原稿読取は１枚ずつ載置される原稿の画像データを読取り、自動供給原稿読取は自動供給される複数枚の原稿の画像データを連続的に読取るため、自動供給原稿読取の方が大きな記憶領域を必要とする場合が多い。自動供給原稿読取により第１画像データの読取を開始する場合に確保する第２記憶領域を小さくすることにより、自動供給原稿読取に使用する第１記憶領域を大きめに確保できるため、自動供給原稿読取時の画像データの読取ジョブ及び送信ジョブを効率的に行うことができる。
【００２２】
本発明においては、載置原稿読取を行って何れか一方の送信手段から送信する第１画像データを何れか一方の画像メモリに記憶した場合、第１画像データの読取終了後、自動供給原稿読取を行って他方の送信手段から送信する第２画像データを他方の画像メモリに記憶することが許可される。載置原稿読取の終了後に自動供給原稿読取を行えるため、画像データの読取ジョブ及び送信ジョブを効率的に行うことができる。
【００２３】
本発明においては、自動供給原稿読取を行って何れか一方の送信手段から送信する第１画像データを何れか一方の画像メモリに記憶した場合、自動供給原稿読取の終了後、載置原稿読取を行って他方の送信手段から送信する第２画像データを他方の画像メモリに記憶することが許可される。自動供給原稿読取の終了後に載置原稿読取を行えるため、画像データの読取ジョブ及び送信ジョブを効率的に行うことができる。
【００２４】
本発明においては、原稿台への原稿の載置を検出した場合、原稿に光を照射する光源を載置原稿読取の開始位置に移動させる。自動供給原稿読取は、例えば原稿が通過する所定位置に光源を移動させ、載置原稿読取は、例えば原稿台に載置された原稿を走査するように光源を移動させる。前記所定位置と前記走査の開始位置とは異なるため、自動供給原稿読取後に載置原稿読取を行う場合は、前記所定位置から前記走査の開始位置に光源を移動させる必要がある。原稿台への原稿の載置が検出された場合に、前記所定位置から前記走査の開始位置に光源を移動させることにより、載置原稿読取を早く開始することができる。
【００２５】
本発明においては、自動供給原稿読取を行う際に、両方の画像メモリが使用されていない場合、両方の画像メモリを使用する。載置原稿読取は１枚ずつ載置される原稿の画像データを読取り、自動供給原稿読取は自動供給される原稿の画像データを連続的に読取るため、自動供給原稿読取の方が大きな記憶領域を必要とする場合が多い。また、自動供給原稿読取が行われている間は、載置原稿読取が行われることはない。自動供給原稿読取に両方の画像メモリを使用することにより、自動供給原稿読取時の画像データの読取ジョブ及び送信ジョブを効率的に行うことができる。
【発明の効果】
【００２６】
本発明によれば、複数の送信手段を有する場合の画像データの読取ジョブ及び送信ジョブを効率的に行うことができる。
【００２７】
本発明によれば、第１画像データを記憶する第１記憶領域及び第２画像データを記憶する第２記憶領域の割当など、画像メモリの管理を容易に行うことができる。複数の送信手段及び画像メモリを用いた画像データの読取及び送信の制御が容易になる。
【００２８】
本発明によれば、自動供給原稿読取時の画像データの読取ジョブ及び送信ジョブを効率的に行うことができる。
【００２９】
本発明によれば、載置原稿読取の終了後に自動供給原稿読取を行うなど、画像データの読取ジョブを効率的に行うことができる。
【００３０】
本発明によれば、自動供給原稿読取の終了後に載置原稿読取を行うなど、画像データの読取ジョブを効率的に行うことができる。
【００３１】
本発明によれば、自動供給原稿読取後の載置原稿読取を早く開始することができる。
【発明を実施するための最良の形態】
【００３２】
以下、本発明をその実施の形態を示す図面に基づいて具体的に説明する。図１は本発明に係る画像読取装置を備えた複合機の一構成例を示すブロック図であり、本体にオプション装置が装着されている。本体は、原稿の画像を読取る画像読取部２４と、画像データを記憶する本体画像メモリ２２と、画像データに基づく画像をシートに形成する画像形成部２６と、外部のコンピュータなどと通信を行う本体通信Ｉ／Ｆ１８と、前記画像読取部２４、本体画像メモリ２２、画像形成部２６及び本体通信Ｉ／Ｆ１８が接続され、画像データに各種処理を行う画像処理部２０と、前記画像読取部２４、画像形成部２６、本体通信Ｉ／Ｆ１８及び画像処理部２０の制御を行う本体ＣＰＵ（Central Processing Unit）１２と、本体ＣＰＵ１２に接続された本体ＲＡＭ（Random Access Memory）１４及び本体ＲＯＭ（Read Only Memory）１６とを備える。
【００３３】
画像読取部２４は、原稿の画像を読取る例えばＣＣＤ（Charge Coupled Device）などを備える。また、画像読取部２４は、後述するように、原稿台上に載置された原稿を読取る載置原稿読取、及び、自動原稿供給機構により供給される原稿を読取る自動供給原稿読取を行うことが可能である。画像読取部２４が読取った画像データは、画像処理部２０に送られる。
【００３４】
画像処理部２０は、画像読取部２４から受取った画像データを、例えばＤＲＡＭ（Dynamic RAM）などの本体画像メモリ２２に記憶する。また、画像処理部２０は、本体画像メモリ２２から画像データを読出して、例えば拡大／縮小、濃度調整、色補正などの各種処理を行うことも可能である。印刷すべき画像データは、画像処理部２０から画像形成部２６に送られ、送信すべき画像データは、画像処理部２０から本体通信Ｉ／Ｆ１８に送られる。
【００３５】
画像形成部２６は、画像処理部２０から受取った画像データを、例えばＬＳＵ（Laser Scanning Unit）などを用いて静電潜像として感光体表面に形成し、該静電潜像を現像剤で可視化し、該可視化した像をシートに転写する。
【００３６】
本体通信Ｉ／Ｆ（送信手段）１８は、例えばＬＡＮ（Local Area Network）Ｉ／Ｆであり、画像処理部２０から受取った画像データを、外部のコンピュータなどへ送信する。なお、本体通信Ｉ／Ｆ１８が外部のコンピュータなどから受信した画像データを画像処理部２０に送り、シートへの画像形成を行うことも可能である。
【００３７】
本体ＣＰＵ（制御手段）１２は、ＥＥＰＲＯＭ（Electrically Erasable Programmable ROM）などの本体ＲＯＭ１６に記憶されている制御プログラムを実行して、本体内の各部を制御する。本体ＣＰＵ１２が一時的に使用するデータなどは本体ＲＡＭ１４に記憶される。
【００３８】
なお、図示していないが、本体ＣＰＵ１２には、操作パネル及び液晶パネルを備える操作部が接続されており、本体ＣＰＵ１２は、操作部から受付けた指示に応じて本体内の各部を制御し、原稿の画像を画像読取部２４に読取らせたり、読取った画像データを本体通信Ｉ／Ｆ１８から送信させる。
【００３９】
オプション装置は、画像データを記憶するオプション側画像メモリ４２と、外部のコンピュータなどと通信を行うオプション側通信Ｉ／Ｆ（送信手段）３８と、オプション側画像メモリ４２及びオプション側通信Ｉ／Ｆ３８が接続されたメモリコントローラ４０と、前記メモリコントローラ４０及びオプション側通信Ｉ／Ｆ３８の制御を行うオプション側ＣＰＵ３２と、オプション側ＣＰＵ３２に接続されたオプション側ＲＡＭ３４及びオプション側ＲＯＭ３６とを備える。オプション装置を本体に装着した場合、オプション側ＣＰＵ３２は本体ＣＰＵ１２と接続され、メモリコントローラ４０は画像処理部２０及び本体画像メモリ２２間に接続される。
【００４０】
メモリコントローラ４０は、画像処理部２０から受取った画像データを、例えばＤＲＡＭなどのオプション側画像メモリ４２に記憶する。また、メモリコントローラ４０は、オプション側画像メモリ４２に記憶されている送信すべき画像データを、オプション側通信Ｉ／Ｆ３８に送ったり、本体の画像処理部２０を介して本体通信Ｉ／Ｆ１８に送る。
【００４１】
オプション側通信Ｉ／Ｆ３８は、例えばＬＡＮ  Ｉ／Ｆであり、メモリコントローラ２０から受取った画像データを、外部のコンピュータなどへ送信する。ここで、メモリコントローラ２０は、オプション側画像メモリ４２又は本体画像メモリ２２に記憶されている画像データを、オプション側通信Ｉ／Ｆ３８に送ることが可能である。なお、オプション側通信Ｉ／Ｆ３８が外部のコンピュータなどから受信した画像データをメモリコントローラ４０から本体の画像処理部２０に送り、シートへの画像形成を行うことも可能である。
【００４２】
オプション側ＣＰＵ３２は、ＥＥＰＲＯＭなどのオプション側ＲＯＭ３６に記憶されている制御プログラムを実行して、オプション装置内の各部を制御する。オプション側ＣＰＵ３２が一時的に使用するデータなどはオプション側ＲＡＭ３４に記憶される。
【００４３】
また、オプション側ＣＰＵ３２は、本体ＣＰＵ１２によって制御される。よって、本体ＣＰＵ１２により、本体内の各部及びオプション装置内の各部が制御される。本体ＣＰＵ１２の制御によって、画像読取部２４が読取った画像データを、本体画像メモリ２２に記憶したり、オプション側画像メモリ４２に記憶することが可能である。また、本体ＣＰＵ１２の制御によって、本体画像メモリ２２又はオプション側画像メモリ４２に記憶されている画像データを本体通信Ｉ／Ｆ１８から送信したり、オプション側通信Ｉ／Ｆ３８から送信することが可能である。
【００４４】
図２は複合機の主に画像読取及び画像形成に関係する部分の詳細な構成を示す図である。複合機は、上面に後述する透明なガラス等を有する原稿台１７０を備えている。原稿台１７０の下部には、原稿を読み取る光学系が配置されている。光学系は原稿台１７０上に載置される原稿に光を照射する光源１７１と、結像レンズと、ＣＣＤ１７３に光を導く複数の反射鏡１７２とを含む。
【００４５】
また、原稿台１７０の上部には、自動的に原稿を搬送して原稿の読取動作を行なわせる原稿自動送り装置（自動原稿供給機構）１８０が設置されている。原稿自動送り装置１８０は、給紙トレイ１８１にセットされた原稿を１枚ずつ供給搬送路１８２に送り込む。送り込んだ原稿は、その先端がＰＳローラ１８３に押し当てられた状態で一時停止する。図示しないクラッチをオンにすることにより、ＰＳローラ１８３を図示しない搬送モータの駆動部と連結し一旦停止していた原稿の搬送を再開し、原稿を原稿読取窓１８８に送る。光源１７１を原稿読取窓１８８の直下に移動させ、原稿の搬送開始のタイミングに合わせて原稿に光を照射することにより、原稿からの反射光は前記光学系の各パーツを介してＣＣＤ１７３に導かれる。
【００４６】
図３（ａ）は、原稿台の例を示す概略斜視図である。原稿台１７０の上面には、原稿自動送り装置１８０の原稿読取窓１８８と対向する部分に自動供給原稿読取用の原稿通過ガラス１７５が設けられ、他の部分に載置原稿読取用の原稿載置ガラス１７６が設けられている。図３（ｂ）及び（ｃ）は原稿読取の例を示す概念図であり、図３（ｂ）に示すように、光源１７１を原稿通過ガラス１７５の直下に移動させ、原稿通過ガラス１７５上を通過する原稿に光を照射することにより、自動供給原稿読取（以下、ＳＰＦスキャンという）が行われる。
【００４７】
また、原稿自動送り装置１８０は、図３（ａ）に示すように開閉可能であり、原稿載置ガラス１７６に原稿を載置することも可能である。さらに、光源１７１、結像レンズ、ＣＣＤ１７３及び反射鏡１７２は、図示しない移動機構に支持されており、原稿載置ガラス１７６に沿って移動させることが可能である。本体ＣＰＵ１２で前記移動機構を制御し、図３（ｃ）に示すように、光源１７１を原稿載置ガラス１７６の一端（原稿通過ガラス１７５側）に待機させ、原稿載置ガラス１７６に沿って移動させながら原稿に光を照射することにより、載置原稿読取（以下、ＯＣスキャンという）が行われる。原稿載置ガラス１７６に原稿が載置されたことは、原稿台１７０内部に設けられた原稿載置センサ（載置検出手段）１７８で検出することが可能である。
【００４８】
ＣＣＤ１７３にて読取られた原稿の画像データは、画像処理が施され、ＬＳＵ１２１により、レーザー光を感光体１１１の表面に照射して静電潜像を形成する。感光体１１１は、ドラム状に形成されており、回転駆動される。感光体１１１の周囲には、感光体１１１表面の静電潜像をトナーにより可視像に現像する現像装置１２０が配置されている。また、感光体１１１の周囲には、感光体１１１表面のトナー像をシートに転写する転写チャージャー１１３、感光体１１１表面の残留トナーを除去するクリーニング装置、感光体１１１表面を所定の電位に帯電させる帯電器１１２、及び、感光体１１１のレーザー照射点に向かってレーザーを照射するＬＳＵ１２１が配置されている。
【００４９】
シートは、シートカセット１３０に収納される。シートカセット１３０の先端部にはシートを供給搬送路１３３に送り込む半月ローラ１３１が配置されている。また、シートの供給側から排出側への搬送路に沿って、シートの通過を検知する図示しないレジスト前検知スイッチと、該レジスト前検知スイッチの信号を基に、感光体１１１上のトナー像とシートの位置合わせを行うＰＳローラ１３２と、シート上のトナー像を加熱ローラと加圧ローラによりシートに定着させる定着ローラ部１５０と、該定着ローラ部１５０をシートが通過したことを検知する図示しない定着検知スイッチと、排出搬送路１３５上でシートが通過したことを検知する図示しない排出検知スイッチと、シートを排出する為の排出ローラ１３６とが配置されている。シートはシートカセット１３０から前述の各部材を通過して排紙トレイ１６０に排紙されることにより一連の出力処理（印刷）を完了する。
【００５０】
本体ＣＰＵ１２（制御手段）は、本体内の各部及びオプション装置内の各部を制御して、本体通信Ｉ／Ｆ１８又はオプション側通信Ｉ／Ｆ３８の一方から送信する第１画像データの読取を開始する場合、第１画像データを記憶する第１記憶領域とは別に、少なくとも原稿１枚分の画像データを記憶することが可能な第２記憶領域を、本体画像メモリ２２又はオプション側画像メモリ４２の何れかに確保し、第１画像データの読取終了後に本体通信Ｉ／Ｆ１８又はオプション側通信Ｉ／Ｆ３８の他方から送信する第２画像データの読取を行う場合、第２画像データを第２記憶領域に記憶する。例えば、本体ＣＰＵ１２は、本体通信Ｉ／Ｆ１８又はオプション側通信Ｉ／Ｆ３８の一方から送信する第１画像データの読取を開始する場合、前記第２記憶領域として本体画像メモリ２２又はオプション側画像メモリ４２の何れかの全記憶領域を確保する。また、例えば、本体ＣＰＵ１２が確保する前記第２記憶領域は、載置原稿読取を開始する場合よりも自動供給原稿読取を開始する場合の方を小さくすることが可能である。また、例えば本体ＣＰＵ１２は、自動供給原稿読取を行う際に、本体画像メモリ２２及びオプション側画像メモリ４２の両方が使用されていない場合、両方の画像メモリを使用することが可能である。
【００５１】
また、本体ＣＰＵ１２は、載置原稿読取を行って本体通信Ｉ／Ｆ１８又はオプション側通信Ｉ／Ｆ３８の一方から送信する第１画像データを、本体画像メモリ２２又はオプション側画像メモリ４２の一方に記憶した場合、第１画像データの読取終了後、自動供給原稿読取を行って本体通信Ｉ／Ｆ１８又はオプション側通信Ｉ／Ｆ３８の他方から送信する第２画像データを、本体画像メモリ２２又はオプション側画像メモリ４２の他方に記憶することを許可する。
【００５２】
また、本体ＣＰＵ１２は、自動供給原稿読取を行って本体通信Ｉ／Ｆ１８又はオプション側通信Ｉ／Ｆ３８の一方から送信する第１画像データを、本体画像メモリ２２又はオプション側画像メモリ４２の一方に記憶した場合、自動供給原稿読取の終了後、載置原稿読取を行って本体通信Ｉ／Ｆ１８又はオプション側通信Ｉ／Ｆ３８の他方から送信する第２画像データを、本体画像メモリ２２又はオプション側画像メモリ４２の他方に記憶することを許可する。また、本体ＣＰＵ１２は、原稿載置センサ１７８が原稿台１７０上の原稿の載置を検出した場合、上述した移動機構を制御して光源１７１を載置原稿読取の開始位置に移動させる。
【００５３】
以下、本発明の画像読取装置を備える複合機の画像読取処理について説明する。図４はＯＣスキャンの処理手順の例を示すフローチャートであり、図５はＳＰＦスキャンの処理手順の例を示すフローチャートである。操作部のスタートキーが押されるなどして、ＯＣスキャンを行う場合、図４に示すように、原稿台１７０上の原稿の載置を原稿載置センサ１７８が検出した場合、本体ＣＰＵ１２の制御により、ＯＣ開始位置へ光源１７１を移動させる（Ｓ１０）。本体画像メモリ２２が使用中でない場合（Ｓ１２：ＮＯ）、本体ＣＰＵ１２は、本体画像メモリ２２の使用を決定し（Ｓ１４）、ＯＣスキャン用の記憶領域を確保する。また、本体画像メモリ２２が使用中で（Ｓ１２：ＹＥＳ）、オプション側画像メモリ４２が使用中でない場合（Ｓ１６：ＮＯ）、本体ＣＰＵ１２は、オプション側画像メモリ４２の使用を決定し（Ｓ１８）、ＯＣスキャン用の記憶領域を確保する。両方共使用中の場合（Ｓ１２：ＹＥＳ、Ｓ１６：ＹＥＳ）は、スキャン不可であるので、本体ＣＰＵ１２はＯＣスキャンジョブを中断し、例えば画像メモリに空きがないことを操作部に表示する。また、本体通信Ｉ／Ｆ１８及びオプション側通信Ｉ／Ｆ３８の両方が未使用の場合、本体ＣＰＵ１２は、これから画像データの送信に使う一方の通信Ｉ／Ｆとは逆の他方用に、本体画像メモリ２２又はオプション側画像メモリ４２に少なくとも原稿１枚分の画像データの記憶領域を確保する。
【００５４】
記憶領域を確保した（Ｓ１４又はＳ１８）後、本体ＣＰＵ１２の制御により、画像読取部２４でＯＣスキャンが行われ（Ｓ２０）、読取られた画像データは、本体画像メモリ２２又はオプション側画像メモリ４２に記憶される。記憶された画像データは、本体ＣＰＵ１２の制御により、本体通信Ｉ／Ｆ１８又はオプション側通信Ｉ／Ｆ３８の一方から送信される（Ｓ２２）。ここで、画像読取が終了した後、本体通信Ｉ／Ｆ１８又はオプション側通信Ｉ／Ｆ３８の他方が未使用の場合、画像読取の受付が可能である。例えば、ＯＣスキャンされた画像データの送信中に、ＳＰＦスキャン（図５）を行うことが可能である。なお、ＳＰＦスキャンは、ＯＣスキャン原稿（原稿載置ガラス１７６上の原稿）が載置されたままの状態で行うことが可能である。送信（Ｓ２２）が終了した場合、本体ＣＰＵ１２の制御により、使用していた画像メモリは開放される（Ｓ２４）。
【００５５】
また、操作部のスタートキーが押されるなどして、ＳＰＦスキャンを行う場合、図５に示すように、本体画像メモリ２２が使用中でなく（Ｓ３０：ＮＯ）、オプション側画像メモリ４２が使用中の場合（Ｓ３２：ＹＥＳ）、本体ＣＰＵ１２は、本体画像メモリ２２の使用を決定し（Ｓ３４）、ＳＰＦスキャン用の記憶領域を確保する。また、本体画像メモリ２２が使用中でなく（Ｓ３０：ＮＯ）、オプション側画像メモリ４２も使用中でない場合（Ｓ３２：ＮＯ）、本体ＣＰＵ１２は、本体画像メモリ２２及びオプション側画像メモリ４２の使用を決定し（Ｓ３６）、ＳＰＦスキャン用の記憶領域を確保する。さらに、本体画像メモリ２２が使用中で（Ｓ３０：ＹＥＳ）、オプション側画像メモリ４２が使用中でない場合（Ｓ３８：ＮＯ）、本体ＣＰＵ１２は、オプション側画像メモリ４２の使用を決定し（Ｓ４０）、ＳＰＦスキャン用の記憶領域を確保する。両方共使用中の場合（Ｓ３０：ＹＥＳ、Ｓ３８：ＹＥＳ）は、スキャン不可であるので、本体ＣＰＵ１２はＳＰＦスキャンジョブを中断し、例えば画像メモリに空きがないことを操作部に表示する。また、本体通信Ｉ／Ｆ１８及びオプション側通信Ｉ／Ｆ３８の両方が未使用の場合、本体ＣＰＵ１２は、これから画像データの送信に使う一方の通信Ｉ／Ｆとは逆の他方用に、本体画像メモリ２２又はオプション側画像メモリ４２に少なくとも原稿１枚分の画像データの記憶領域を確保する。
【００５６】
記憶領域を確保した（Ｓ３４、Ｓ３６又はＳ４０）後、本体ＣＰＵ１２の制御により、画像読取部２４でＳＰＦスキャンが行われ（Ｓ４２）、読取られた画像データは、本体画像メモリ２２及び／又はオプション側画像メモリ４２に記憶される。記憶された画像データは、本体ＣＰＵ１２の制御により、本体通信Ｉ／Ｆ１８又はオプション側通信Ｉ／Ｆ３８の一方から送信される（Ｓ４４）。ここで、画像読取が終了した後、本体通信Ｉ／Ｆ１８又はオプション側通信Ｉ／Ｆ３８の他方が未使用の場合、画像読取の受付が可能である。例えば、ＳＰＦスキャンされた画像データの送信中に、ＯＣスキャン（図４）を行うことが可能である。なお、ＯＣスキャン原稿を原稿台１７０に載置するためには、原稿自動送り装置１８０を開閉するため、ＳＰＦスキャン原稿を取除く必要がある。送信が終了した場合、本体ＣＰＵ１２の制御により、使用していた画像メモリは開放される（Ｓ４６）。
【００５７】
上述した実施の形態においては、画像読取装置を備えた複合機を例にして説明したが、画像読取装置を単独で使用することも可能である。この場合、本体は画像形成部２６を備えていない。
【図面の簡単な説明】
【００５８】
【図１】本発明に係る画像読取装置を備えた複合機の一構成例を示すブロック図である。
【図２】複合機の主に画像読取及び画像形成に関係する部分の詳細な構成を示す図である。
【図３】（ａ）は原稿台の例を示す概略斜視図であり、（ｂ）及び（ｃ）は原稿読取の例を示す概念図である。
【図４】ＯＣスキャンの処理手順の例を示すフローチャートである。
【図５】ＳＰＦスキャンの処理手順の例を示すフローチャートである。
【符号の説明】
【００５９】
１２  本体ＣＰＵ
１４  本体ＲＡＭ
１６  本体ＲＯＭ
１８  本体通信Ｉ／Ｆ
２０  画像処理部
２２  本体画像メモリ
２４  画像読取部
２６  画像形成部
３２  オプション側ＣＰＵ
３４  オプション側ＲＡＭ
３６  オプション側ＲＯＭ
３８  オプション側通信Ｉ／Ｆ
４０  メモリコントローラ
４２  オプション側画像メモリ
【図１】
2005347968.tif 000003
【図２】
2005347968.tif 000004
【図３】
2005347968.tif 000005
【図４】
2005347968.tif 000006
【図５】
2005347968.tif 000007